(57)【要約】【課題】画面のアクセスレベルを容易に変更することができる射出成形機を提供する。【解決手段】射出成形機にタッチパネルを設ける。タッチパネルに表示される全ての画面にはアクセスレベルを設定し、操作者の権限に応じて表示が制限されるようにする。アクセスレベル変更画面（１）を設け、この画面には各アクセスレベルに対応する複数の領域（７、８、９）を設け、各画面に対応する画面アイコン（１１、１１、…）はいずれかの領域（７、８、９）に表示されるようにする。これによって各画面のアクセスレベルが設定されることになる。アクセスレベルの変更は、任意の領域の画面アイコン（１１）をドラッグ操作によって他の領域に移動することによって行う。【選択図】  図１
2014019039.tif 000002
【特許請求の範囲】
【請求項１】
タッチパネルを備え、該タッチパネルに表示可能な全ての画面には、それぞれ表示を許可／禁止するアクセスレベルが設定され、操作者の権限に応じて表示が制限されている射出成形機において、
前記射出成形機はアクセスレベル変更画面を備え、該アクセスレベル変更画面には、アクセスレベルに対応する複数の領域が設けられ、前記アクセスレベル変更画面を除く全ての画面に対応するそれぞれの画面アイコンは、いずれかの領域内に表示され、それによってアクセスレベルが設定されており、
前記アクセスレベル変更画面において、指またはタッチペンによって任意の前記画面アイコンをタッチし、タッチした状態で他の領域にスライドしてタッチパネルから離すドラッグ操作を実施すると、前記画面アイコンが他の領域に移動してアクセスレベルが変更されるようになっていることを特徴とする射出成形機。
【請求項２】
請求項１に記載の射出成形機において、前記アクセスレベル変更画面は、管理者権限以上の権限を有する操作者のみが操作できるようになっていることを特徴とする射出成形機。
【発明の詳細な説明】
【技術分野】
【０００１】
本発明は、タッチパネルを備えた射出成形機に関するものであり、射出成形の各種条件をタッチパネルからの操作によって設定することができる射出成形機に関するものである。
【背景技術】
【０００２】
従来周知のように、射出成形機は金型を型締めする型締装置、樹脂を溶融すると共に型締めされた金型内に溶融樹脂を射出する射出装置、これらの装置を制御するコントローラ等から構成されている。型締装置は、固定盤、可動盤、型締機構等から構成され、型締機構を所定の方向に駆動すると固定盤と可動盤のそれぞれに設けられている金型が型閉じ、型締めされ、逆方向に駆動すると型開きするようになっている。また射出装置は、加熱シリンダ、この加熱シリンダ内で回転方向と軸方向とに駆動されるスクリュ等から構成され、加熱シリンダの後方に設けられているホッパから材料の樹脂を供給し、スクリュを回転方向に駆動すると、加熱シリンダに設けられているヒータからの熱と、スクリュの回転のせん断力による熱とによって樹脂が溶融し、スクリュが後退して溶融樹脂を計量することができる。そしてスクリュを軸方向に駆動すると溶融樹脂を射出することができる。従って、これらを適切に駆動すると成形品を得ることができる。
【０００３】
射出成形機には、射出成形に精通した技術者でないと実施できない作業もあるし、それほど高い技能が要求されない作業もある。例えば、成形品はその大きさや形状、材質がそれぞれ異なっており、品質の高い成形品を成形できるようにするには、成形条件を調整するいわゆる成形条件出しをする必要がある。このような成形条件出しの作業については、射出成形に精通した、高い技能を有する技術者によってなされている。一方、成形条件が調整された後は、一般的な技術者であっても射出成形機を運転することができ、一定した品質の成形品を安定して得ることができる。特殊な技能が要求される場合もある。具体的には、射出成形機のメンテナンスであり、射出成形機の機種毎にメンテナンス作業が相違することもあるので、その機種の射出成形機に精通した技術者によってなされる必要がある。このように射出成形機は、技術者の技能や熟練度に応じて、実施可能な作業が制限される必要がある。また実施可能な作業は、営業秘密のようなノウハウ管理上の理由からも制限される必要がある。従って、射出成形機にはセキュリティ管理の機能が設けられ、例えば特許文献１に記載されているように操作者がコントローラの端末においてログインして認証されると、予め許可されている範囲で射出成形機を操作することができるようになっている。
【先行技術文献】
【特許文献】
【０００４】
【特許文献１】特開２０１２−７９２０９号公報
【発明の概要】
【発明が解決しようとする課題】
【０００５】
従来の射出成形機においても、コントローラからログインして認証されると、操作者に許可された範囲で射出成形機を操作するようになっている。つまり射出成形機における操作は、コントローラに設けられているモニタに表示される画面から実施するが、認証された操作者の権限に応じて各画面の表示が許可／禁止されている。つまり各画面にはアクセスレベルが設定され、これによって操作者が表示できる画面が制限され、実施できる作業が制限されている。従って、安全上の理由からもノウハウ管理上の理由からも、格別に問題はない。しかしながら、他の問題も見受けられる。具体的には、画面毎に設定されているアクセスレベルを変更するのが難しいという問題がある。例えば、射出成形機における各センサから収集されるプロセスデータは、トレンド画面に表示することができ、一般の権限しか有さない操作者であってもトレンド画面を表示できるようになっている。ところがプロセスデータを非公開にしたい等のノウハウ管理上の理由から、トレンド画面の表示は管理者権限を有する操作者に限定したい場合もある。しかしながら画面毎のアクセスレベルの変更は容易でないので、一般の権限しか有さない操作者に対してトレンド画面の表示を禁止できず、ノウハウ管理上問題が生じてしまう。反対に、上位の権限の操作者にのみ許可していた画面の表示を、一般の権限の操作者にも許可したい場合もあるが、画面毎のアクセスレベルの変更が容易でないので、対応が難しい。
【０００６】
したがって、本発明は上記の課題を解決した射出成形機を提供することを目的としており、画面のアクセスレベルを容易に変更することができる射出成形機を提供することを目的としている。
【課題を解決するための手段】
【０００７】
本発明は、上記目的を達成するために、タッチパネルを備えた射出成形機として構成する。そしてタッチパネルに表示可能な全ての画面には、それぞれ表示を許可／禁止するアクセスレベルを設定し、操作者の権限に応じて表示が制限されるようにする。射出成形機にはアクセスレベル変更画面を設け、この画面にはアクセスレベルに対応する複数の領域を設ける。そしてアクセスレベル変更画面を除く全ての画面に対応するそれぞれの画面アイコンが、これらのいずれかの領域内に表示されるようにする。つまり各画面のアクセスレベルが表示されるようにする。本発明は、このアクセスレベル変更画面において、指またはタッチペンによって任意の画面アイコンをタッチし、タッチした状態で他の領域にスライドしてタッチパネルから離すドラッグ操作を実施すると、画面アイコンが他の領域に移動してアクセスレベルが変更されるようにする。
【０００８】
すなわち、請求項１に記載の発明は、上記目的を達成するために、タッチパネルを備え、該タッチパネルに表示可能な全ての画面には、それぞれ表示を許可／禁止するアクセスレベルが設定され、操作者の権限に応じて表示が制限されている射出成形機において、前記射出成形機はアクセスレベル変更画面を備え、該アクセスレベル変更画面には、アクセスレベルに対応する複数の領域が設けられ、前記アクセスレベル変更画面を除く全ての画面に対応するそれぞれの画面アイコンは、いずれかの領域内に表示され、それによってアクセスレベルが設定されており、前記アクセスレベル変更画面において、指またはタッチペンによって任意の前記画面アイコンをタッチし、タッチした状態で他の領域にスライドしてタッチパネルから離すドラッグ操作を実施すると、前記画面アイコンが他の領域に移動してアクセスレベルが変更されるようになっていることを特徴とする射出成形機として構成される。
請求項２に記載の発明は、請求項１に記載の射出成形機において、前記アクセスレベル変更画面は、管理者権限以上の権限を有する操作者のみが操作できるようになっていることを特徴とする射出成形機として構成される。
【発明の効果】
【０００９】
以上のように、本発明によれば、タッチパネルを備えた射出成形機として構成され、タッチパネルに表示可能な全ての画面には、それぞれ表示を許可／禁止するアクセスレベルが設定され、操作者の権限に応じて表示が制限されている。そして射出成形機はアクセスレベル変更画面を備え、該アクセスレベル変更画面には、アクセスレベルに対応する複数の領域が設けられ、アクセスレベル変更画面を除く全ての画面に対応するそれぞれの画面アイコンは、いずれかの領域内に表示され、それによってアクセスレベルが設定されている。従って各画面についてそのアクセスレベルが一目瞭然になっている。本発明によれば、このようなアクセスレベル変更画面において、指またはタッチペンによって任意の画面アイコンをタッチし、タッチした状態で他の領域にスライドしてタッチパネルから離すドラッグ操作を実施すると、画面アイコンが他の領域に移動してアクセスレベルが変更されるようになっている。従って直感的な操作によって画面毎のアクセスレベルを変更することができ、変更が容易である。また他の発明によると、アクセスレベル変更画面は、管理者権限以上の権限を有する操作者のみが操作できるようになっているので、アクセスレベルの変更は制限されており、セキュリティが保たれている。
【図面の簡単な説明】
【００１０】
【図１】本実施の形態に係る射出成形機のアクセスレベル変更画面を示す図である。
【発明を実施するための形態】
【００１１】
以下、本実施の形態に係る射出成形機を説明する。本実施の形態に係る射出成形機も、従来の射出成形機と同様に、金型を型締めする型締装置、樹脂材料を溶融して型締めされた金型に溶融樹脂を射出する射出装置、成形された成形品を金型から突き出すエジェクタ装置、これらの装置を制御するコントローラ、等から構成されているが、本実施の形態には特有の装置、すなわちタッチパネルが設けられている。タッチパネルにはタッチセンサが設けられ、指、タッチペン等によってタッチすると、タッチされた座標を検出することができる。従って後で説明するようにドラッグ操作、すなわち指、タッチペン等によって所定のアイコンをタッチし、タッチした状態でいずれかの位置にスライドさせ、そして離す操作を検出することができ、アイコンを移動できるようになっている。
【００１２】
本実施の形態においても、従来の射出成形機と同様に多くの種類の画面が用意され、タッチパネルに表示できるようになっている。これらの画面は操作者の権限に応じて表示が許可されあるいは禁止されている。つまり画面のそれぞれにはアクセスレベルが設定されている。操作者は、本実施の形態に係る射出成形機において認証された後に操作できるようになっており、認証時に付与された権限に応じて、所定のアクセスレベルの画面が表示できるようになっている。認証の方法は色々あるが、本実施の形態に係る射出成形機において、予め全ての操作者は射出成形機に登録され、所定のログイン画面からユーザー名とパスワードを入力して認証されるようになっている。この他にも、射出成形機にカードリーダを設け、操作者が自分のカードを読み取らせて認証されるようにしてもよいし、指紋リーダによって指紋を読み取って認証してもよい。しかしながら、このように個々の操作者を識別する認証によって権限を付与するのではなく、パスワードのみによって権限を付与するようにしてもよい。具体的には、パスワードが入力されないときには一般の技術者としての権限しか付与されず、パスワードが入力されたら管理者としての権限が付与されるようにする。この場合には射出成形機に操作者を登録しておく必要はない。いずれにしても本実施の形態に係る射出成形機においては、画面のそれぞれにアクセスレベルが設定されており、操作者の権限に応じて表示できる画面が制限されている。
【００１３】
本実施の形態においては、各画面のアクセスレベルを表示し、これを変更できるアクセスレベル変更画面１が設けられている。アクセスレベル変更画面１は、図１に示されているようにレイアウトされている。画面において右上には、他の種類の画面においても設けられている共通アイコン群、すなわち保守画面に展開するためのアイコン、スクリーンショットを取るためのアイコン等からなるアイコン群２が設けられている。そして画面下方には、他の種類の画面においても設けられている共通アイコン群３、例えばメニュー画面に切り替えるボタン、等が設けられている。これらは全ての画面において共通の部品である。
【００１４】
アクセスレベル変更画面１において中央部５が、各画面のアクセスレベルを表示したり変更するためのエリアになっている。この中央部５のエリアは、仕切り線６、６によって第１〜３の領域７、８、９に分割されている。そして各種の画面を表す画面アイコン１１、１１、…が、いずれかの各領域７、８、９に表示されている。これらの第１〜３の領域７、８、９はそれぞれアクセスレベルを表しており、第１の領域７には一般の権限の操作者でも表示できる画面の画面アイコン１１、１１、…が表示され、第２の領域８には管理者権限を有する操作者が表示できる画面の画面アイコン１１、１１、…が表示され、そして第３の領域９には射出成形機のメンテナンス権限を有する操作者が表示できる画面の画面アイコン１１、１１、…が表示されている。
【００１５】
アクセスレベル変更画面１は、各画面のアクセスレベルを変更できるようになっているが、アクセスレベルの変更は、管理者権限、またはメンテナンス権限を有する操作者にのみ許可されている。具体的には次のようにする。操作者はアクセスレベルを変更したい画面の画面アイコン１１をドラッグ操作によって他の領域７、８、９に移動する。すなわち画面アイコン１１を指またはタッチペンによってタッチし、これを他の領域７、８、９内にスライドし、画面アイコン１１から離す。そうすると画面アイコン１１が移動して、属する領域７、８、９が変更される。このようにして画面のアクセスレベルを変更することができる。
【００１６】
本実施の形態においてアクセスレベルの変更は、操作者の権限に応じて変更できる範囲が決められている。具体的には、管理者権限を有する操作者は、第１の領域７と第２の領域８に表示されている画面アイコン１１、１１、…についてのみ移動が許可され、移動先も第１、２の領域７、８内に限定されている。これに対して、メンテナンス権限を有する操作者は、全ての画面アイコン１１、１１、…について任意の領域７、８、９に移動することができるようになっている。
【符号の説明】
【００１７】
１    アクセスレベル変更画面        ６    仕切り線
７    第１の領域                    ８    第２の領域
９    第３の領域                  １１    画面アイコン
【図１】
2014019039.tif 000003